Podtech/llm-jp-corpus-v4-ja_patent huggingface dataset:
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
可動部に設けられた第１慣性センサーを用いて前記可動部の振動を測定する振動測定方法であって、
前記可動部を駆動する駆動部により前記可動部の振動の振動数を前記可動部の固有振動数にさせて共振状態にする工程と、
前記共振状態のとき、前記第１慣性センサーで前記可動部の振動の測定を行う工程と、
前記第１慣性センサーの出力に基づいて前記可動部の振動の大きさを求める工程と、を有することを特徴とする可動部の振動測定方法。
【請求項２】
前記可動部は、回動軸周りに回動可能に設けられた複数のアームを備え、
前記可動部の先端を第１の位置から第２の位置に移動させる際、前記駆動部により前記複数のアームのうちの少なくとも２つの前記アームを回動させて前記共振状態にし、前記共振状態のとき、前記第１慣性センサーで前記可動部の振動の測定を行う請求項１に記載の可動部の振動測定方法。
【請求項３】
前記２つのアームの前記回動軸は、互いに平行である請求項２に記載の可動部の振動測定方法。
【請求項４】
前記可動部の先端を前記第１の位置から前記第２の位置に移動させる間、前記可動部の先端の姿勢を同一の姿勢に維持する請求項２または３に記載の可動部の振動測定方法。
【請求項５】
前記可動部を異なる複数の速度で駆動し、各々の速度において前記第１慣性センサーで測定を行う請求項１ないし４のいずれか１項に記載の可動部の振動測定方法。
【請求項６】
前記第１慣性センサーは、前記可動部に内蔵されている請求項１ないし５のいずれか１項に記載の可動部の振動測定方法。
【請求項７】
前記可動部を支持する支持部に、前記第１慣性センサーとは異なる第２慣性センサーが設けられ、
前記駆動部により前記可動部を駆動した状態で、前記第２慣性センサーで測定を行い、前記第２慣性センサーの出力に基づいて前記支持部の振動の大きさを求める請求項１ないし５のいずれか１項に記載の可動部の振動測定方法。
【請求項８】
前記第１慣性センサーは、６軸慣性センサーである請求項１ないし７のいずれか１項に記載の可動部の振動測定方法。
【請求項９】
前記第１慣性センサーは、角速度センサーである請求項１ないし７のいずれか１項に記載の可動部の振動測定方法。
【請求項１０】
ロボットに設けられた慣性センサーを用いて前記ロボットの振動を測定する振動測定方法であって、
前記ロボットを駆動する駆動部により前記ロボットの振動の振動数を前記ロボットの固有振動数にさせて共振状態にする工程と、
前記共振状態のとき、前記慣性センサーで前記ロボットの振動の測定を行う工程と、
前記慣性センサーの出力に基づいて前記ロボットの振動の大きさを求める工程と、を有することを特徴とするロボットの振動測定方法。
【請求項１１】
アームを備えるロボットを制御する制御装置であって、
前記アームを駆動する駆動部により前記アームの振動の振動数を前記アームの固有振動数にさせた共振状態での、前記アームに設けられた慣性センサーの出力に基づいて、前記アームの振動の大きさを求める演算部を備えることを特徴とする制御装置。
【請求項１２】
前記アームを異なる複数の速度で移動させ、各々の速度において前記演算部により求めた前記アームの振動の大きさのうち、振動の大きさが最も小さいときの速度を選択する選択部を備える請求項１１に記載の制御装置。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
工作物を回転可能に支持する主軸台と、
前記工作物を研削する砥石車と、
前記砥石車をツルーイングするツルアと、
前記工作物及び前記砥石車により研削された前記工作物以外の対象物の何れかである研削対象物の表面粗さを検出するセンサと、
前記砥石車に対するツルーイングに関する制御を行う制御装置と、を備え、
前記制御装置は、
前記砥石車に対するツルーイングを行う直前に研削した前記測定対象物の表面粗さと、前記砥石車に対するツルーイングを行った直後に研削した前記測定対象物の表面粗さとの差に基づき、前記砥石車に対するツルーイングが適切に実行されたか否かを判定する判定部を備える、研削盤。
【請求項２】
前記制御装置は、前記砥石車に対するツルーイングが適切に実行されていないと判定した場合に、前記砥石車に対するツルーイングを再度行うための制御を実行する、請求項１に記載の研削盤。
【請求項３】
前記研削対象物は、前記砥石車による研削が終了した前記工作物であり、
前記センサは、前記工作物が前記主軸台に支持された状態で、前記工作物の表面粗さの検出を行う、請求項１又は２に記載の研削盤。
【請求項４】
前記研削盤は、前記砥石車との接触により前記砥石車の外径を測定する接触検知ピンを備え、
前記研削対象物は、前記接触検知ピンであり、
前記センサは、ツルーイングの直前及び直後に前記砥石車に接触した前記接触検知ピンの表面粗さを検出する、請求項１又は２に記載の研削盤。
【請求項５】
前記センサは、
基板と、
前記基板上に装着され、前記工作物に向けて発光する発光素子と、
前記基板上において前記発光素子の近傍に装着され、前記工作物からの反射光を受光可能な受光素子と、
前記受光素子の受光量に基づいて表面粗さを演算する演算部と、
を備える、請求項１−４の何れか一項に記載の研削盤。
【請求項６】
前記受光素子は、ＣＣＤ又はＣＭＯＳ素子であり、
前記演算部は、前記ＣＣＤ又は前記ＣＭＯＳ素子による検出結果に基づき、表面粗さを演算する、請求項５に記載の研削盤。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
媒体に印刷する印刷部と、
前記媒体を所定の搬送経路に沿って搬送する第１ローラーと、
前記第１ローラーと相対する複数の位置で、前記媒体を前記第１ローラーとによって挟持する複数の第２ローラーと、
前記第１ローラーおよび前記第２ローラーよりも前記搬送経路の下流側に配設され、前記第１ローラーにより搬送される前記媒体を挟持して、前記印刷部による印刷がなされる印刷経路へ搬送する第３ローラーと、
複数の前記第２ローラーのうち前記搬送経路の最も下流側に位置するローラーであって、前記媒体を前記第１ローラーとによって挟持する第１位置と、前記第１ローラーから離間して前記媒体を挟持しない第２位置との間で変位する特定第２ローラーと、
前記各ローラーおよび前記印刷部を制御する制御部と、を備え、
前記制御部は、前記第３ローラーによる前記媒体の挟持後に、前記特定第２ローラーを前記第１位置から前記第２位置へ変位させる、
ことを特徴とする印刷装置。
【請求項２】
前記第１ローラーを回転させる第１駆動源と、
前記第３ローラーを回転させる第２駆動源と、を備え
前記第１ローラーは、前記媒体の供給元から前記媒体を前記搬送経路へ供給する供給ローラーと、前記供給ローラーにより送られた前記媒体を前記搬送経路の下流側へ搬送する搬送ローラーとを含み、
前記制御部は、前記特定第２ローラーを前記第２位置へ変位させた後、前記媒体の後端が、前記特定第２ローラーを除いた前記第２ローラーのうち前記搬送経路の最も下流側に位置するローラーを通過した場合に、前記第１駆動源に前記供給ローラーを回転させることにより前記供給元から次の媒体を前記搬送経路へ供給させることを特徴とする請求項１に記載の印刷装置。
【請求項３】
前記制御部は、前記媒体の後端が前記特定第２ローラーの位置を通過した場合に、前記第１駆動源に前記搬送ローラーだけを回転させ、さらに前記特定第２ローラーを前記第２位置から前記第１位置へ変位させることを特徴とする請求項２に記載の印刷装置。
【請求項４】
前記制御部は、前記媒体の後端が前記特定第２ローラーの位置を通過した後、前記次の媒体の先端が、前記特定第２ローラーを除いた前記第２ローラーのうち前記搬送経路の最も下流側に位置するローラーと前記特定第２ローラーとの間の位置であって前記特定第２ローラーに近い特定位置へ達した場合に、前記特定第２ローラーを前記第２位置から前記第１位置へ変位させることを特徴とする請求項３に記載の印刷装置。
【請求項５】
前記制御部は、前記第３ローラーが挟持している前記媒体への前記印刷部による印刷が最終ページの印刷であれば、当該最終ページが印刷される媒体の後端が、前記特定第２ローラーを除いた前記第２ローラーのうち前記搬送経路の最も下流側に位置するローラーを通過した場合に、前記第１駆動源を停止させることを特徴とする請求項２〜請求項４のいずれかに記載の印刷装置。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
工具の出力軸に回転可能に取付けられる出力軸部材と、出力軸部材の先端に設けられる円筒型ヘッド部材とを有し、
円筒型ヘッド部材が、中心に基部から先端部近くまでのびる水供給通路を備え、
円筒型ヘッド部材の先端に、複数個の円弧状の掘削刃を同心状に設け、
最内方円周上に位置する切削刃の高さが最外方円周上に位置する切削刃の高さより高く伸び、
同じ各円周上に位置する隣接した切削刃の間に周方向間隙すなわち切欠きが形成され、また
隣接した円周上に位置する切削刃の間に径方向の環状隙間が形成され、
前記水供給通路の先端から外部へ開口した少なくとも一つの水流出口が前記円筒型ヘッド部材の中心軸線に対して偏心して設けられていること
を特徴とするブラスト用穿孔工具。
【請求項２】
円筒型ヘッド部材の中心軸線を挟んで二つの水流出口が設けられること
を特徴とする請求項１記載のブラスト用穿孔工具。
【請求項３】
水流出口が、円筒型ヘッド部材の中心軸線に対して半径方向又は周方向に傾斜して設けられること
を特徴とする請求項１記載のブラスト用穿孔工具。
【請求項４】
最内方すなわち第一の円周上に二つの円弧状切削刃が配置され、その外側の第二の円周上に三つの円弧状切削刃がほぼ等間隔に配列され、第二の円周の外側の第三の円周上に二つの円弧状切削刃が配置され、第三の円周の外側の第四の円周上に二つの円弧状切削刃が配置され、さらに第四の円周の外側の第五すなわち最外方の円周上に三つの円弧状切削刃がほぼ等間隔に配列されること
を特徴とする請求項１〜３いずれか一項記載のブラスト用穿孔工具。
【請求項５】
第三の円周上の二つの円弧状切削刃及び第四の円周上の二つの円弧状切削刃が、ほぼ９０°ずれた位置に配置されること
を特徴とする請求項１〜３いずれか一項記載のブラスト用穿孔工具。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記呼出操作に基づいて、呼び出し中である旨の報知を、所定の報知手段に行わせることが可能な報知制御手段と、を備え、
前記報知制御手段は、前記呼び出し中である旨の報知の開始から所定の時間が経過したことに応じて、前記呼び出し中である旨の報知を終了させることを特徴とする遊技機。
【請求項２】
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記呼出操作に基づいて、呼び出し中である旨の報知を、所定の報知手段に行わせることが可能な報知制御手段と、を備え、
前記報知制御手段は、前記呼び出し中である旨の報知の実行中に前記操作手段が操作されたことに応じて、前記呼び出し中である旨の報知を終了させることを特徴とする遊技機。
【請求項３】
請求項１又は請求項２に記載の遊技機であって、
遊技の結果に影響を及ぼす制御処理を実行可能な制御手段が実装された基板を備え、
前記操作手段は、前記呼出操作に基づく操作信号を前記基板に出力可能なものであり、
前記基板に入力された前記操作信号は、前記制御手段の制御処理に用いられることなく前記基板から出力されることを特徴とする遊技機。
【手続補正２】
【補正対象書類名】明細書
【補正対象項目名】０００８
【補正方法】変更
【補正の内容】
【０００８】
本発明に係る遊技機は、
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記呼出操作に基づいて、呼び出し中である旨の報知を、所定の報知手段に行わせることが可能な報知制御手段と、を備え、
前記報知制御手段は、前記呼び出し中である旨の報知の開始から所定の時間が経過したことに応じて、前記呼び出し中である旨の報知を終了させることを特徴とする遊技機である。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
一方向に並ぶ複数の圧力検出素子からなる素子列を有するセンサチップと、
前記センサチップが固定される基板と、
前記基板及び前記センサチップを保護する保護部材と、
前記圧力検出素子が形成された前記センサチップの検出面と前記保護部材に設けられた開口部との間に充填されている充填剤と、を有し、
前記開口部が、前記センサチップの前記基板に固定された側の反対側であって前記検出面に垂直な垂直方向において前記検出面と対向する位置に配置されている、圧脈波センサと、
前記圧脈波センサを前記一方向及び前記垂直方向の各々に直交する方向の周りに回転させる回転機構と、を備え、
前記保護部材の外周面は、
前記開口部が形成された頂面と、
前記頂面の前記一方向の両端縁と連続する面であって、前記開口部の開口面に対して傾斜した傾斜面と、を有し、
前記傾斜面の傾斜角度は、前記回転機構によって前記圧脈波センサが回転可能な回転角の最大値未満になっている脈波検出装置。
【請求項２】
請求項１記載の脈波検出装置であって、
前記保護部材は、前記充填材よりも硬度が高い材料で構成されている脈波検出装置。
【請求項３】
請求項２記載の脈波検出装置であって、
前記保護部材はセラミックによって構成されている脈波検出装置。
【請求項４】
請求項１〜３のいずれか１項記載の脈波検出装置であって、
前記保護部材の外周面は、更に前記開口部の開口面に垂直な垂直面を有し、
前記垂直面は、前記垂直方向において前記開口面よりも前記センサチップ側に位置し、かつ、前記垂直方向にみた平面視において前記保護部材の前記頂面の端縁と重なる又は前記頂面の端縁よりも外側に位置する脈波検出装置。
【請求項５】
請求項１〜４のいずれか１項記載の脈波検出装置であって、
前記基板に設けられ、前記センサチップの前記一方向の端部に設けられた端子部と電気的に接続するための基板側端子部と、
前記センサチップの端子部と前記基板側端子部とを接続する導電部材と、を更に備え、
前記導電部材は、前記垂直方向にみた平面視において前記頂面の端縁と重ならない位置に配置されている脈波検出装置。
【請求項６】
請求項１〜５のいずれか１項記載の脈波検出装置と、
前記圧脈波センサによって検出された圧脈波に基づいて生体情報を算出する生体情報算出部と、を備える生体情報測定装置。
【手続補正２】
【補正対象書類名】明細書
【補正対象項目名】発明の名称
【補正方法】変更
【補正の内容】
【発明の名称】脈波検出装置、及び、生体情報測定装置
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明の脈波検出装置は、一方向に並ぶ複数の圧力検出素子からなる素子列を有するセンサチップと、前記センサチップが固定される基板と、前記基板及び前記センサチップを保護する保護部材と、前記圧力検出素子が形成された前記センサチップの検出面と前記保護部材に設けられた開口部との間に充填されている充填剤と、を有し、前記開口部が、前記センサチップの前記基板に固定された側の反対側であって前記検出面に垂直な垂直方向において前記検出面と対向する位置に配置されている、圧脈波センサと、前記圧脈波センサを前記一方向及び前記垂直方向の各々に直交する方向の周りに回転させる回転機構と、を備え、前記保護部材の外周面は、前記開口部が形成された頂面と、前記頂面の前記一方向の両端縁と連続する面であって、前記開口部の開口面に対して傾斜した傾斜面と、を有し、前記傾斜面の傾斜角度は、前記回転機構によって前記圧脈波センサが回転可能な回転角の最大値未満になっているものである。
【手続補正５】
【補正対象書類名】明細書
【補正対象項目名】００１０
【補正方法】削除
【補正の内容】
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
被検眼を検査するための眼科装置であって、
前記被検眼を検査するための検眼手段と、
前記被検眼の前眼部画像を撮影する前眼部撮影手段と、
前記被検眼と前記検眼手段とのアライメント状態を検出するための指標を前記被検眼に投光する指標投光手段と、
前記被検眼に対して前記検眼手段を相対移動させる駆動手段と、
前記駆動手段を制御する制御手段と、を備え、
前記制御手段は、
前記指標を検出する指標検出処理と、前記指標検出処理とは異なる画像解析処理と、を前記前眼部画像に対して並行して行い、前記指標検出処理または前記画像解析処理の結果に基づいて、前記駆動手段を制御することを特徴とする眼科装置。
【請求項２】
前記画像解析処理は、前記前眼部画像から瞳孔を検出する瞳孔検出処理であって、
前記制御手段は、前記指標または前記瞳孔の検出結果に基づいて、前記駆動手段を制御することを特徴とする請求項１の眼科装置。
【請求項３】
前記制御手段は、前記駆動手段を制御することによって、
前記指標を検出できた場合、前記指標の検出結果に基づいて前記被検眼と前記検眼手段とのアライメントを行い、
前記指標を検出できず、前記画像解析処理によって被検眼を検出できた場合、前記画像解析処理による検出結果に基づいて前記被検眼と前記検眼手段との上下左右方向のアライメントを行うことを特徴とする請求項２の眼科装置。
【請求項４】
前記画像解析処理は、前眼部画像を解析しフォーカス状態を評価するための評価値を得るフォーカス解析処理であって、
前記制御手段は、前記指標の検出結果および前記フォーカス解析処理の解析結果の少なくともいずれかに基づいて前記駆動手段を制御することを特徴とする請求項１の眼科装置。
【請求項５】
前記制御手段は、前記駆動手段によって前記検眼手段をＺ方向に前進または後退させながら前記指標検出処理および前記フォーカス解析処理を並行して行うＺアライメントを行い、前記指標が検出されず、前記評価値が、合焦位置に対応する評価値に対して所定量より大きく変化した場合、進行方向を逆にして再度Ｚアライメントを繰り返すことを特徴とする請求項４の眼科装置。
【請求項６】
前記制御手段は、前記指標が検出されないまま、前記評価値が、合焦位置に対応する評価値に対して所定量より大きく変化した後、進行方向を逆にすることを２回以上の所定回数行った場合、被検眼から遠い側の進行方向変更位置と被検眼に近い側の進行方向変更位置の２点を求め、前記２点間において前記評価値が、合焦位置に対応する評価値を示す位置に前記検眼手段を移動させることを特徴とする請求項５の眼科装置。
【請求項７】
被検眼を検査するための眼科装置において実行される眼科装置制御プログラムであって、
前記眼科装置のプロセッサによって実行されることで、
前記被検眼の前眼部画像を撮影する前眼部撮影ステップと、
前記前眼部撮影ステップにおいて、前記被検眼と検眼手段とのアライメント状態を検出するための指標を前記被検眼に投光する指標投光ステップと、
前記指標を検出する指標検出処理と、前記指標検出処理とは異なる画像解析処理と、を前記前眼部画像に対して並行して行い、前記指標検出処理または前記画像解析処理の結果に基づいて、前記被検眼に対して前記検眼手段を相対移動させる駆動手段を制御する制御ステップと、
を前記眼科装置に実行させることを特徴とする眼科装置制御プログラム。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
光源から出射される，赤外域の第１照明光と可視域の第２照明光と，を被検眼に同時に又は交互に照射する照射光学系と、
前記第１照明光および前記第２照明光における，被検眼からの戻り光を受光する受光素子を1つ又は複数有する受光光学系と、
前記受光素子から出力される信号に基づいて被検眼の画像を形成する画像形成手段と、
前記第１照明光の戻り光に基づいて前記画像形成手段で形成される時系列の被検眼の画像を、観察画像としてモニタに表示する表示制御手段と、
前記観察画像が表示される間に、被検眼の画像をキャプチャ画像として取得するためのトリガとなるトリガ信号を出力するためのトリガ信号出力手段と、
前記トリガ信号の出力後，且つ，前記第２照明光の出力が安定した状態で、前記画像形成手段で形成される前記第２照明光の戻り光による被検眼の画像を、キャプチャ画像として取得する撮影制御手段と、を有する眼科撮影装置。
【請求項２】
前記撮影制御手段は、前記トリガ信号に基づいて、前記光源からの前記第２照明光の一時的な出力を開始させ、その後，出力の安定に要する第１期間が経過したタイミングを前記キャプチャ画像の取得開始タイミングとする請求項１記載の眼科撮影装置。
【請求項３】
前記光源は、前記第２照明光として少なくとも緑色のレーザー光を出射し、
前記第１期間は、前記緑色のレーザー光の出力開始から出力が安定するまでの期間を考慮して定められている請求項２記載の眼科撮影装置。
【請求項４】
前記照射光学系における前記光源と被検眼との間の光路上において、前記第１照明光が通過可能であり，且つ，前記第２照明光が遮光される第３状態と、少なくとも前記第２照明光が通過可能である第４状態と、に切り替えるための駆動部を有し、
前記撮影制御手段は、トリガ信号の出力前から予め第２照明光が点灯された状態で、前記トリガ信号に基づいて前記駆動部を駆動して前記第３状態から前記第４状態へと切り替え、その切り替後に形成される前記第２照明光の戻り光による被検眼の画像を、キャプチャ画像として取得する請求項１から３のいずれかに記載の眼科撮影装置。
【請求項５】
前記光源は、互いに異なる２つ以上の色の光を前記第２照明光として同時に出射し、
前記受光光学系は、同時に出射される前記第２照明光の色の数だけの受光素子を少なくとも持ち、更に、少なくとも２色の前記第２照明光に基づく戻り光を，色毎に異なる受光素子へ導くための波長分離部を持つ請求項１から４のいずれかに記載の眼科撮影装置。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
被検眼を検査する眼科装置であって、
被検眼を検査するための検眼部と、
前記検眼部と被検眼との間の相対位置を調整するための駆動手段と、
被検眼の前眼部を照明するための第１の照明光学系と、第１の照明光学系よりも広範囲を照明するための第２の照明光学系と、を備える照明光学系と、
被検眼の前眼部を撮像するための第１の撮像光学系と、第１の撮像光学系よりも広範囲を撮像するための第２の撮像光学系と、を備える撮像光学系と、
前記第１の照明光学系による前眼部照明と前記第２の照明光学系による広範囲照明との間での前眼部に対する照明状態を制御する制御手段と、
を備えることを特徴とする眼科装置。
【請求項２】
前記第２の照明光学系は、前記第１の照明光学系の少なくとも一部に対して異なる位置に配置されていることを特徴とする請求項１の眼科装置。
【請求項３】
前記制御手段は、前記第１の照明光学系と前記第２の照明光学系の作動を切り換えることによって、前記第１の照明光学系による前眼部照明と前記第２の照明光学系による広範囲照明との間での被検者に対する照明状態を制御することを特徴とする請求項２の眼科装置。
【請求項４】
前記撮像光学系の撮像信号に基づいて、前記被検者に対する照明状態を制御することを特徴とする請求項１〜３のいずれかの眼科装置。
【請求項５】
前記第２の照明光学系が、前記第１の照明光学系を兼用し、
前記制御手段は、前記第１の照明光学系による前眼部照明と前記第２の照明光学系による広範囲照明との間での前眼部に対する照明光量を制御することを特徴とする請求項１〜請求項４のいずれかの眼科装置。
【請求項６】
被検眼を検査する眼科装置であって、
被検眼を検査するための検眼部と、
前記検眼部と被検眼との間の相対位置を調整するための駆動手段と、
被検眼の前眼部を照明するための第１の照明光学系と、第１の照明光学系よりも広範囲を照明するための第２の照明光学系と、を備える照明光学系と、
被検眼の前眼部を撮像するための第１の撮像光学系と、第１の撮像光学系よりも広範囲を撮像するための第２の撮像光学系と、を備える撮像光学系と、
を備え、
前記第２の照明光学系は、前記第１の照明光学系の少なくとも一部に対して異なる位置に配置されていることを特徴とする眼科装置。
【請求項７】
被検眼を検査する眼科装置において実行される眼科装置制御プログラムであって、
前記眼科装置のプロセッサによって実行されることで、
第１の撮像光学系によって被検眼の前眼部を撮像する場合の第１の照明光学系による前眼部照明と、第２の撮像光学系によって第１の撮像光学系よりも広範囲を撮像する場合の第２の照明光学系による広範囲照明との間で前眼部に対する照明状態を制御する制御ステップと、
を前記眼科装置に実行させることを特徴とする眼科装置制御プログラム。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光と前記測定光に対応する参照光とを合波して得た光に基づいて、前記被検眼の断層画像を撮る眼科撮像装置であって、
前記参照光の光路に設けられ、前記参照光を導くための導光部を含む第１のファイバと、
前記測定光の光路に設けられ、前記測定光を導くための導光部を含む第２のファイバと、を有し、
前記第１のファイバと前記第２のファイバとの少なくとも１つのファイバは、前記少なくとも１つのファイバの導光部の径が前記少なくとも１つのファイバの射出端に向かって拡大するように構成されることを特徴とする眼科撮像装置。
【請求項２】
測定光を照射した被検眼からの戻り光と前記測定光に対応する参照光とを合波して得た光に基づいて、前記被検眼の断層画像を撮る眼科撮像装置であって、
前記参照光の光路に設けられ、前記参照光を導くための導光部を含む第１のファイバと、
前記測定光の光路に設けられ、前記測定光を導くための導光部を含む第２のファイバと、を有し、
前記第１のファイバと前記第２のファイバとの少なくとも１つのファイバは、前記少なくとも１つのファイバの導光部の径が前記少なくとも１つのファイバの射出端の方が別の位置よりも大きいように構成されることを特徴とする眼科撮像装置。
【請求項３】
前記少なくとも１つのファイバは、前記少なくとも１つのファイバの導光部が前記第２のファイバの射出端とは別の位置における第１の径を有する第１の領域と、前記射出端における前記第１の径よりも大きい第２の径を有する第２の領域とを含むように構成されることを特徴とする請求項１または２に記載の眼科撮像装置。
【請求項４】
前記少なくとも１つのファイバは、前記少なくとも１つのファイバの導光部の径が前記少なくとも１つのファイバの射出端に向かって徐々に拡大するように構成されることを特徴とする請求項１乃至３のいずれか１項に記載の眼科撮像装置。
【請求項５】
前記少なくとも１つのファイバは、前記少なくとも１つのファイバの導光部の径が前記少なくとも１つのファイバの射出端に向かって段階的に拡大するように構成されることを特徴とする請求項１乃至４のいずれか１項に記載の眼科撮像装置。
【請求項６】
前記第１のファイバの導光部は、前記第１のファイバの射出端に向かって前記導光部の径が徐々に拡大されるように構成され、
前記第２のファイバの導光部は、前記第２のファイバの射出端に向かって前記導光部の径が段階的に拡大されるように構成されることを特徴とする請求項１乃至５のいずれか１項に記載の眼科撮像装置。
【請求項７】
波長掃引光源から射出された光を前記測定光と前記参照光とに分割する分割手段を更に有し、
前記被検眼の深さ方向における前記眼科撮像装置の撮像可能な範囲は、前記波長掃引光源の共振器長よりも長いことを特徴とする請求項１乃至６のいずれか１項に記載の眼科撮像装置。
【請求項８】
前記波長掃引光源は、外部共振器型であることを特徴とする請求項７に記載の眼科撮像装置。
【請求項９】
前記合波して得た光を干渉信号として検出する検出手段と、
前記検出された干渉信号のサンプリングを行うためのクロック信号を生成するクロック生成部と、
前記生成されたクロック信号を用いて、前記検出された干渉信号をアナログ信号からデジタル信号に変換するＡ／Ｄ変換器と、を更に有し、
前記サンプリングして得たデジタル信号に基づいて前記断層画像を得るように構成されることを特徴とする請求項７または８に記載の眼科撮像装置。
【請求項１０】
前記クロック生成部は、第一の光路と第一の光路に対して光路長差を持つ第二の光路とから成る干渉計で構成され、前記波長掃引光源から射出された光の一部を用いて、前記光路長差に対応する周波数で前記サンプリングを行うためのクロック信号を生成することを特徴とする請求項９に記載の眼科撮像装置。
【請求項１１】
前記波長掃引光源から射出された光の一部を用いて、前記断層画像のＡスキャン毎の開始と終了とを認識するためのトリガ信号を生成するトリガ生成部を更に有することを特徴とする請求項７乃至１０のいずれか１項に記載の眼科撮像装置。
【請求項１２】
前記眼科撮像装置が、ＳＮ比で９０ｄＢを超える感度を有することを特徴とする請求項１乃至１１のいずれか１項に記載の眼科撮像装置。
【請求項１３】
前記導光部は、コアであることを特徴とする請求項１乃至１２のいずれか１項に記載の眼科撮像装置。
【請求項１４】
前記第１のファイバの射出端及び前記第２のファイバの射出端の少なくとも１つは、斜めに研磨されていることを特徴とする請求項１乃至１３のいずれか１項記載の眼科撮像装置。
【請求項１５】
前記眼科撮像装置は、マッハツエンダー干渉計として構成され、前記測定光の光路長を変更する機構を更に有し、
前記第２のファイバは、前記参照光の光路長が一定であるように構成され、
前記第１のファイバの射出端の導光部の径は、前記射出端とは異なる位置の導光部の径よりも大きいことを特徴とする請求項１乃至１４のいずれか１項に記載の眼科撮像装置。
【手続補正２】
【補正対象書類名】明細書
【補正対象項目名】０００９
【補正方法】変更
【補正の内容】
【０００９】
本発明に係る眼科撮像装置の一つは、
測定光を照射した被検眼からの戻り光と前記測定光に対応する参照光とを合波して得た光に基づいて、前記被検眼の断層画像を撮る眼科撮像装置であって、
前記参照光の光路に設けられ、前記参照光を導くための導光部を含む第１のファイバと、
前記測定光の光路に設けられ、前記測定光を導くための導光部を含む第２のファイバと、を有し、
前記第１のファイバと前記第２のファイバとの少なくとも１つのファイバは、前記少なくとも１つのファイバの導光部の径が前記少なくとも１つのファイバの射出端に向かって拡大するように構成される。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
被検眼を検査する眼科装置であって、
前記被検眼を検査するための検眼手段と、
前記被検眼に対して前記検眼手段を相対移動させる駆動手段と、
左右の被検眼のうち少なくとも一方を含む顔を撮影する顔撮影手段と、を備え、
前記顔撮影手段の撮影光軸は、前記検査光学系の検査光軸よりも左右のいずれかにずれた位置に配置されることを特徴とする眼科装置。
【請求項２】
被検者の顔を支持する顔支持手段をさらに備え、
前記顔撮影手段は、機械中心よりも左右のいずれかにずれた位置に前記検眼手段が移動された場合、前記顔支持手段によって顔を支持された被検者の右眼と左眼との間に位置するように設けられることを特徴とする請求項１の眼科装置。
【請求項３】
制御手段をさらに備え、
前記制御手段は、前記顔撮影手段によって撮影された顔画像に基づいて前記被検眼の位置座標を検出し、前記顔画像の歪みに応じて前記位置座標を補正することを特徴とする請求項１または２の眼科装置。
【請求項４】
前記制御手段は、
前記駆動部を制御し、左右の被検眼のいずれかを測定するために設定された初期位置に検眼手段を移動させ、
前記顔撮影手段を制御し、前記検眼手段が前記初期位置にある状態において左右両眼を含む顔を撮影させることを特徴とする請求項３の眼科装置。
【請求項５】
被検眼を検査する眼科装置であって、
前記被検眼を検査するための検眼手段と、
前記被検眼に対して前記検眼手段を３次元的に相対移動させる駆動手段と、
左右の被検眼のうち少なくとも一方を含む顔を撮影する顔撮影手段と、を備え、
前記顔撮影手段は、魚眼レンズを備えることを特徴とする眼科装置。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
遊技者に有利な特定演出状態を含む複数種類の演出状態のいずれかに移行させる状態移行手段を備え、
前記特定演出状態には、第１遊技と第２遊技とが含まれ、前記第１遊技および前記第２遊技のいずれにおいても所定の遊技利益が付与される場合があり、
前記状態移行手段は、前記第１遊技において前記所定の遊技利益が付与されなかった場合、前記第２遊技に移行させ、前記第２遊技において前記所定の遊技利益が付与されなかった場合、前記特定演出状態を終了させ、
前記所定の遊技利益が付与される確率は、前記第１遊技と前記第２遊技とで異なることを特徴とする遊技機。
【請求項２】
前記所定の遊技利益が付与される確率は、前記第１遊技より、前記第２遊技の方が高いことを特徴とする請求項１に記載の遊技機。
【手続補正２】
【補正対象書類名】明細書
【補正対象項目名】０００８
【補正方法】変更
【補正の内容】
【０００８】
上記課題を解決するために、本発明の遊技機は、遊技者に有利な特定演出状態を含む複数種類の演出状態のいずれかに移行させる状態移行手段を備え、特定演出状態には、第１遊技と第２遊技とが含まれ、前記第１遊技および前記第２遊技のいずれにおいても所定の遊技利益が付与される場合があり、状態移行手段は、前記第１遊技において前記所定の遊技利益が付与されなかった場合、前記第２遊技に移行させ、前記第２遊技において前記所定の遊技利益が付与されなかった場合、前記特定演出状態を終了させ、所定の遊技利益が付与される確率は、前記第１遊技と前記第２遊技とで異なることを特徴とする。
【手続補正３】
【補正対象書類名】明細書
【補正対象項目名】０００９
【補正方法】変更
【補正の内容】
【０００９】
前記所定の遊技利益が付与される確率は、前記第１遊技より、前記第２遊技の方が高いとしてもよい。
【手続補正４】
【補正対象書類名】明細書
【補正対象項目名】００１０
【補正方法】削除
【補正の内容】
【手続補正書】
【提出日】平成31年4月28日(2019.4.28)
【手続補正１】
【補正対象書類名】特許請求の範囲
【補正対象項目名】全文
【補正方法】変更
【補正の内容】
【特許請求の範囲】
【請求項１】
遊技球を検出可能な検出部と、該検出部により遊技球が検出されたことに基づいて、遊技球を検出した前記検出部に応じた特典を付与する特典付与手段と、を備えた遊技機であって、
所定の振分用入口に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段と、
該振分手段の下流側であって前記第１の振り分け先に設けられ、前記検出部のうち前記特典付与手段によって第１の特典が付与される第１の検出部まで延びる第１球通路と、
前記振分手段の下流側であって前記第２の振り分け先に設けられ、前記検出部のうち前記特典付与手段によって前記第１の特典とは異なる第２の特典が付与される第２の検出部まで延びる第２球通路と、
前記振分用入口とは異なる位置に設けられる遊技球の通過口であって、前記第２の検出部または前記第２の特典を付与する他の検出部により検出される通過口と、
前記第２の検出部または前記他の検出部によって遊技球が検出されたことに基づいて乱数値取得手段によって取得された乱数値を、所定の上限数まで保留記憶可能な乱数値記憶手段と、
前記通過口を通過した遊技球により作動する作動部と、
前記振分手段が前記第２の振り分け先に遊技球を振り分ける状態において前記作動部が作動したことに基づいて前記振分手段に作用し、該第２の振り分け先とは別の振り分け先であって、前記第１の特典を付与可能な振り分け先に変更可能な振分変更手段と、
を備えていることを特徴とする遊技機。
【請求項２】
前記遊技機は、パチンコ遊技機であることを特徴とする請求項１に記載の遊技機。
【手続補正２】
【補正対象書類名】明細書
【補正対象項目名】０００８
【補正方法】変更
【補正の内容】
【０００８】
本発明に係る遊技機は、上記の課題を解決するために、
遊技球を検出可能な検出部と、該検出部により遊技球が検出されたことに基づいて、遊技球を検出した前記検出部に応じた特典を付与する特典付与手段と、を備えた遊技機であって、
所定の振分用入口に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段と、
該振分手段の下流側であって前記第１の振り分け先に設けられ、前記検出部のうち前記
特典付与手段によって第１の特典が付与される第１の検出部まで延びる第１球通路と、
前記振分手段の下流側であって前記第２の振り分け先に設けられ、前記検出部のうち前記特典付与手段によって前記第１の特典とは異なる第２の特典が付与される第２の検出部まで延びる第２球通路と、
前記振分用入口とは異なる位置に設けられる遊技球の通過口であって、前記第２の検出部または前記第２の特典を付与する他の検出部により検出される通過口と、
前記第２の検出部または前記他の検出部によって遊技球が検出されたことに基づいて乱数値取得手段によって取得された乱数値を、所定の上限数まで保留記憶可能な乱数値記憶手段と、
前記通過口を通過した遊技球により作動する作動部と、
前記振分手段が前記第２の振り分け先に遊技球を振り分ける状態において前記作動部が作動したことに基づいて前記振分手段に作用し、該第２の振り分け先とは別の振り分け先であって、前記第１の特典を付与可能な振り分け先に変更可能な振分変更手段と、
を備えていることを特徴としている。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ユーザが装着する頭部装着型表示装置と、
前記頭部装着型表示装置のトラッキング処理により得られた、前記頭部装着型表示装置の位置及び方向の少なくとも一方の情報であるトラッキング情報に基づいて、前記頭部装着型表示装置に表示される画像を生成する処理装置と、
前記ユーザのプレイ位置を変化させる可動筐体と、
前記可動筐体に設けられ、前記頭部装着型表示装置を撮像する撮像部と、
を含み、
前記撮像部の位置は、前記可動筐体による前記プレイ位置の変化に伴い変化し、
前記処理装置は、
前記撮像部による前記頭部装着型表示装置の撮像画像に基づく前記トラッキング情報を取得して、前記頭部装着型表示装置に表示される画像を生成することを特徴とするシミュレーションシステム。
【手続補正２】
【補正対象書類名】明細書
【補正対象項目名】０１８４
【補正方法】変更
【補正の内容】
【０１８４】
図１９（Ｂ）に示すように、シミュレーションシステム（可動筐体４０）の周辺には、ステーション２８０、２８４が設置されている。ステーション２８０には発光素子２８１、２８２が設けられ、ステーション２８４には発光素子２８５、２８６が設けられている。発光素子２８１、２８２、２８５、２８６は、例えばレーザー（赤外線レーザー等）を出射するＬＥＤにより実現される。ステーション２８０、２８４は、これら発光素子２８１、２８２、２８５、２８６を用いて、例えばレーザーを放射状に出射する。そして図１９（Ａ）のＨＭＤ２００に設けられた受光素子２０１〜２０３等が、ステーション２８０、２８４からのレーザーを受光することで、ＨＭＤ２００のトラッキングが実現され、ユーザＰＬの頭の位置や向く方向（ユーザの位置や方向）を検出できるようになる。
【手続補正３】
【補正対象書類名】明細書
【補正対象項目名】０１８５
【補正方法】変更
【補正の内容】
【０１８５】
なお図１９（Ｂ）の移動部４７０に設けられたゲームコントローラ１６５の位置及び方向の少なくとも一方（トラッキング情報）についても、ＨＭＤ２００のトラッキング処理と同様の手法により検出できる。例えば、ゲームコントローラ１６５に設けられた受光素子（複数の受光素子）が、ステーション２８０、２８４の発光素子２８１、２８２、２８５、２８６からのレーザーを受光することで、ゲームコントローラ１６５の位置及び方向の少なくとも一方を検出できる。これにより可動筐体４０の可動により変化するプレイ位置ＰＰＬの検出等が可能になる。
【手続補正４】
【補正対象書類名】明細書
【補正対象項目名】０１８８
【補正方法】変更
【補正の内容】
【０１８８】
なお、ユーザの視点位置、視線方向（ユーザの位置、方向）を検出するトラッキング処理の手法は、図１９（Ａ）〜図２０（Ｂ）で説明した手法には限定されない。例えばＨＭＤ２００に設けられたモーションセンサー等を用いて、ＨＭＤ２００の単体でトラッキング処理を実現してもよい。即ち、図１９（Ｂ）のステーション２８０、２８４、図２０（Ｂ）の撮像部１５０などの外部装置を設けることなく、トラッキング処理を実現する。或いは、公知のアイトラッキング、フェイストラッキング又はヘッドトラッキングなどの種々の視点トラッキング手法により、ユーザの視点位置、視線方向などの視点情報等を検出してもよい。
【手続補正書】
【提出日】平成31年4月23日(2019.4.23)
【手続補正１】
【補正対象書類名】明細書
【補正対象項目名】０００８
【補正方法】変更
【補正の内容】
【０００８】
本発明は、第１リール（Ｒ１）、第２リール（Ｒ２）及び第３リール（Ｒ３）と、
役の内部抽選を行う内部抽選手段（１２０）と、
前記第１リール、前記第２リール及び前記第３リールに対応して設けられ、各リールを停止させるための停止操作を検出する第１ストップスイッチ（２４０ａ）、第２ストップスイッチ（２４０ｂ）及び第３ストップスイッチ（２４０ｃ）と、
前記第１リール、前記第２リール及び前記第３リールの回転態様及び停止態様を制御するリール制御手段（１３０）と、
前記第１リール、前記第２リール及び前記第３リールが停止した状態で、役ごとに予め定められた入賞形態を示す図柄組合せが有効ライン（Ｌ１）上に表示されたことに基づいて、役が入賞したと判定する入賞判定手段（１４０）と、
小役の入賞に伴い、入賞した小役の配当に基づき遊技媒体の払出数を決定する制御を実行する払出制御手段（１５０）と、を備え、
前記内部抽選手段は、複数種類の小役を含む当選態様として、前記第１ストップスイッチ、前記第２ストップスイッチ及び前記第３ストップスイッチが検出した前記停止操作の順序が正解打順である場合に前記有効ライン上に入賞形態を示す図柄組合せが表示される正解役と、前記第１ストップスイッチ、前記第２ストップスイッチ及び前記第３ストップスイッチが検出した前記停止操作の順序が正解打順とは異なる不正解打順である場合に前記有効ライン上に入賞形態を示す図柄組合せが表示可能となる第１小役及び第２小役と、を含む当選態様である打順小役当選態様の当否に関する前記内部抽選を実行可能であり、
前記打順小役当選態様において前記第１小役及び前記第２小役が表示可能となる不正解打順は、最初の前記停止操作が前記第３ストップスイッチに検出される打順であり、
前記リール制御手段は、
第１小役の入賞形態を示す図柄組合せは、前記第２ストップスイッチが予め設定されたタイミングで前記停止操作を検出した場合に前記有効ライン上に表示可能であり、
第２小役の入賞形態を示す図柄組合せは、前記第１ストップスイッチが予め設定されたタイミングで前記停止操作を検出した場合に前記有効ライン上に表示可能であり、
前記第１小役の入賞形態を示す図柄組合せと前記第２小役の入賞形態を示す図柄組合せとは、前記有効ライン上に表示される図柄のうち前記第３リールの図柄が共通の図柄である共通図柄であり、
前記内部抽選で前記打順小役当選態様に当選し、かつ最初の前記停止操作が前記第３ストップスイッチに検出されたことで前記第３リールの前記共通図柄を前記有効ライン上に表示した状態で、さらに、
前記第１ストップスイッチが前記停止操作を検出した場合は、前記第１小役の入賞形態を示す図柄組合せのうち前記第１リールの図柄を前記有効ライン上に表示し、
前記第２ストップスイッチが前記停止操作を検出した場合は、前記第２小役の入賞形態を示す図柄組合せのうち前記第２リールの図柄を前記有効ライン上に表示する、
ことを特徴とする。
【手続補正２】
【補正対象書類名】特許請求の範囲
【補正対象項目名】全文
【補正方法】変更
【補正の内容】
【特許請求の範囲】
【請求項１】
第１リール、第２リール及び第３リールと、
役の内部抽選を行う内部抽選手段と、
前記第１リール、前記第２リール及び前記第３リールに対応して設けられ、各リールを停止させるための停止操作を検出する第１ストップスイッチ、第２ストップスイッチ及び第３ストップスイッチと、
前記第１リール、前記第２リール及び前記第３リールの回転態様及び停止態様を制御するリール制御手段と、
前記第１リール、前記第２リール及び前記第３リールが停止した状態で、役ごとに予め定められた入賞形態を示す図柄組合せが有効ライン上に表示されたことに基づいて、役が入賞したと判定する入賞判定手段と、
小役の入賞に伴い、入賞した小役の配当に基づき遊技媒体の払出数を決定する制御を実行する払出制御手段と、を備え、
前記内部抽選手段は、複数種類の小役を含む当選態様として、前記第１ストップスイッチ、前記第２ストップスイッチ及び前記第３ストップスイッチが検出した前記停止操作の順序が正解打順である場合に前記有効ライン上に入賞形態を示す図柄組合せが表示される正解役と、前記第１ストップスイッチ、前記第２ストップスイッチ及び前記第３ストップスイッチが検出した前記停止操作の順序が正解打順とは異なる不正解打順である場合に前記有効ライン上に入賞形態を示す図柄組合せが表示可能となる第１小役及び第２小役と、を含む当選態様である打順小役当選態様の当否に関する前記内部抽選を実行可能であり、
前記打順小役当選態様において前記第１小役及び前記第２小役が表示可能となる不正解打順は、最初の前記停止操作が前記第３ストップスイッチに検出される打順であり、
前記リール制御手段は、
第１小役の入賞形態を示す図柄組合せは、前記第２ストップスイッチが予め設定されたタイミングで前記停止操作を検出した場合に前記有効ライン上に表示可能であり、
第２小役の入賞形態を示す図柄組合せは、前記第１ストップスイッチが予め設定されたタイミングで前記停止操作を検出した場合に前記有効ライン上に表示可能であり、
前記第１小役の入賞形態を示す図柄組合せと前記第２小役の入賞形態を示す図柄組合せとは、前記有効ライン上に表示される図柄のうち前記第３リールの図柄が共通の図柄である共通図柄であり、
前記内部抽選で前記打順小役当選態様に当選し、かつ最初の前記停止操作が前記第３ストップスイッチに検出されたことで前記第３リールの前記共通図柄を前記有効ライン上に表示した状態で、さらに、
前記第１ストップスイッチが前記停止操作を検出した場合は、前記第１小役の入賞形態を示す図柄組合せのうち前記第１リールの図柄を前記有効ライン上に表示し、
前記第２ストップスイッチが前記停止操作を検出した場合は、前記第２小役の入賞形態を示す図柄組合せのうち前記第２リールの図柄を前記有効ライン上に表示する、
ことを特徴とする遊技機。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
一方向に並ぶ複数の圧力検出素子からなる素子列であって前記一方向に直交する方向に配列された複数の素子列を有するセンサ部と、
前記一方向が生体の体表面下の動脈の伸びる方向と交差する状態で前記体表面に前記センサ部を押圧する押圧部と、
前記一方向に伸びる第一の軸の周りに前記センサ部を回転させるための回転機構と、
前記回転機構を駆動する回転駆動部と、
前記回転駆動部を制御して前記センサ部の回転角度を制御する制御部と、を備え、
前記押圧部は、内部に加えられる空気量に応じて前記センサ部を前記体表面に押圧する空気袋から成り、
前記回転機構、前記押圧部、前記センサ部がこの順番で、前記押圧部による押圧方向に配列されている脈波検出装置。
【請求項２】
請求項１記載の脈波検出装置であって、
前記回転機構は、前記第一の軸の周りに前記センサ部を回転させ、かつ、前記押圧部の押圧方向及び前記一方向の各々に直交する方向に伸びる第二の軸の周りに前記センサ部を回転させるための機構である脈波検出装置。
【請求項３】
一方向に並ぶ複数の圧力検出素子からなる素子列を有するセンサ部と、
前記一方向が生体の体表面下の動脈の伸びる方向と交差する状態で前記体表面に前記センサ部を押圧する押圧部と、
前記押圧部の押圧方向及び前記一方向の各々に直交する方向に伸びる第二の軸の周りに前記センサ部を回転させるための回転機構と、
前記回転機構を駆動する回転駆動部と、
前記回転駆動部を制御して前記センサ部の回転角度を制御する制御部と、を備え、
前記押圧部は、内部に加えられる空気量に応じて前記センサ部を前記体表面に押圧する空気袋から成り、
前記回転機構、前記押圧部、前記センサ部がこの順番で、前記押圧方向に配列されている脈波検出装置。
【請求項４】
請求項１〜３のいずれか１項記載の脈波検出装置と、
前記センサ部の前記圧力検出素子により検出された脈波に基づいて生体情報を算出する生体情報算出部と、を備える生体情報測定装置。
【手続補正２】
【補正対象書類名】明細書
【補正対象項目名】００１３
【補正方法】変更
【補正の内容】
【００１３】
本発明の脈波検出装置は、一方向に並ぶ複数の圧力検出素子からなる素子列であって前記一方向に直交する方向に配列された複数の素子列を有するセンサ部と、前記一方向が生体の体表面下の動脈の伸びる方向と交差する状態で前記体表面に前記センサ部を押圧する押圧部と、前記一方向に伸びる第一の軸の周りに前記センサ部を回転させるための回転機構と、前記回転機構を駆動する回転駆動部と、前記回転駆動部を制御して前記センサ部の回転角度を制御する制御部と、を備え、前記押圧部は、内部に加えられる空気量に応じて前記センサ部を前記体表面に押圧する空気袋から成り、前記回転機構、前記押圧部、前記センサ部がこの順番で、前記押圧部による押圧方向に配列されているものである。
【手続補正３】
【補正対象書類名】明細書
【補正対象項目名】００１４
【補正方法】変更
【補正の内容】
【００１４】
本発明の脈波検出装置は、一方向に並ぶ複数の圧力検出素子からなる素子列を有するセンサ部と、前記一方向が生体の体表面下の動脈の伸びる方向と交差する状態で前記体表面に前記センサ部を押圧する押圧部と、前記押圧部の押圧方向及び前記一方向の各々に直交する方向に伸びる第二の軸の周りに前記センサ部を回転させるための回転機構と、前記回転機構を駆動する回転駆動部と、前記回転駆動部を制御して前記センサ部の回転角度を制御する制御部と、を備え、前記押圧部は、内部に加えられる空気量に応じて前記センサ部を前記体表面に押圧する空気袋から成り、前記回転機構、前記押圧部、前記センサ部がこの順番で、前記押圧方向に配列されているものである。
【手続補正書】
【提出日】平成31年4月28日(2019.4.28)
【手続補正１】
【補正対象書類名】特許請求の範囲
【補正対象項目名】全文
【補正方法】変更
【補正の内容】
【特許請求の範囲】
【請求項１】
遊技球を発射する発射手段と、
該発射手段により発射された遊技球を、遊技球が流下する遊技領域へ向けて案内する案内通路部と、
該案内通路部と前記遊技領域との間に設けられ、前記発射手段により発射された遊技球の前記案内通路部から前記遊技領域への進入を許容する許容状態と、前記遊技領域から前記案内通路部側への遊技球の進入を規制する規制状態とを切り替え可能に動作する可動部と、
該可動部が前記規制状態から前記許容状態に対応した側へ動作した場合に、前記発射手段により発射された遊技球の前記案内通路部から前記遊技領域側への進行を阻止可能な阻止位置に配置される進入阻止部と、
該進入阻止部が前記阻止位置に配置された状態を、前記案内通路部から前記遊技領域に進入した遊技球に取着された糸状部材に基づいて維持可能な阻止状態維持手段と、
を備えていることを特徴とする遊技機。
【請求項２】
前記遊技機は、パチンコ遊技機であることを特徴とする請求項１に記載の遊技機。
【手続補正２】
【補正対象書類名】明細書
【補正対象項目名】０００６
【補正方法】変更
【補正の内容】
【０００６】
上記課題を解決すべく、請求項１記載の発明は、
遊技球を発射する発射手段と、
該発射手段により発射された遊技球を、遊技球が流下する遊技領域へ向けて案内する案内通路部と、
該案内通路部と前記遊技領域との間に設けられ、前記発射手段により発射された遊技球の前記案内通路部から前記遊技領域への進入を許容する許容状態と、前記遊技領域から前記案内通路部側への遊技球の進入を規制する規制状態とを切り替え可能に動作する可動部と、
該可動部が前記規制状態から前記許容状態に対応した側へ動作した場合に、前記発射手段により発射された遊技球の前記案内通路部から前記遊技領域側への進行を阻止可能な阻止位置に配置される進入阻止部と、
該進入阻止部が前記阻止位置に配置された状態を、前記案内通路部から前記遊技領域に進入した遊技球に取着された糸状部材に基づいて維持可能な阻止状態維持手段と、
を備えていることを特徴とする。